(57)【要約】【課題】既存の制御信号配線を利用して照明制御用の各種設定値を変更することができる照明用電源装置を提供する。【解決手段】照明用電源装置６は、光源７に電力を供給する点灯回路６１と、ＰＷＭ制御信号が入力される信号入力回路６２と、ＰＷＭ制御信号のデューティ比の変化が指定パターンに対応しない場合には照明制御モードを適用し、ＰＷＭ制御信号のデューティ比の変化が指定パターンに対応する場合には設定モードを適用するモード決定部６４と、照明制御モードにおいて、ＰＷＭ制御信号のデューティ比に基づいて照明制御を点灯回路６１に実行させる照明制御部６５と、設定モードにおいて、ＰＷＭ制御信号のデューティ比に基づいて照明制御のための設定を決定する設定処理部６７とを備える。【選択図】  図１
2019102281.tif 000002
【特許請求の範囲】
【請求項１】
照明用電源装置であって、
光源に電力を供給する点灯回路と、
ＰＷＭ制御信号が入力される信号入力回路と、
前記ＰＷＭ制御信号のデューティ比の変化が指定パターンに対応しない場合には通常モードを適用し、前記ＰＷＭ制御信号のデューティ比の変化が前記指定パターンに対応する場合には設定モードを適用するモード決定部と、
前記通常モードにおいて、前記ＰＷＭ制御信号のデューティ比に基づいて照明制御を前記点灯回路に実行させる照明制御部と、
前記設定モードにおいて、前記ＰＷＭ制御信号のデューティ比に基づいて前記照明制御のための設定を決定する設定処理部と
を備える照明用電源装置。
【請求項２】
前記指定パターンが、所定時間内における３値以上のデューティ比の遷移によって規定される、請求項１に記載の照明用電源装置。
【請求項３】
前記遷移の一単位の期間が０．２秒以上であり、かつ前記３値以上のデューティ比の最大値と最小値に対応する調光率の差が２５％以上である、請求項２に記載の照明用電源装置。
【請求項４】
前記遷移の一単位の期間が０．１秒以下であり、又は前記３値以上のデューティ比の最大値と最小値に対応する調光率の差が１０％以下である、請求項２に記載の照明用電源装置。
【請求項５】
前記指定パターンが、２値以上のデューティ比の周期的変化によって規定される、請求項１に記載の照明用電源装置。
【請求項６】
前記周期的変化の周波数が５Ｈｚ以下であり、かつ前記２値以上のデューティ比の最大値と最小値に対応する調光率の差が２５％以上である、請求項５に記載の照明用電源装置。
【請求項７】
前記周期的変化の周波数が１０Ｈｚ以上であり、又は前記２値以上のデューティ比の最大値と最小値に対応する調光率の差が１０％以下である、請求項５に記載の照明用電源装置。
【請求項８】
照明用電源装置であって、
光源に電力を供給する点灯回路と、
ＰＷＭ制御信号が入力される信号入力回路と、
前記ＰＷＭ制御信号のデューティ比が指定値に一致しない場合には通常モードを適用し、前記ＰＷＭ制御信号のデューティ比が前記指定値に一致する場合には設定モードを適用するモード決定部と、
前記通常モードにおいて、前記ＰＷＭ制御信号のデューティ比に基づいて照明制御を前記点灯回路に実行させる照明制御部と、
前記設定モードにおいて、前記ＰＷＭ制御信号のデューティ比に基づいて前記照明制御のための設定を決定する設定処理部と
を備え、前記指定値が、前記照明制御において使用されない調光率に対応するデューティ比である、照明用電源装置。
【請求項９】
前記設定が、前記点灯回路から前記光源に供給される出力電流の最大値、前記光源の累積点灯時間に応じて前記出力電流を増加させる初期光束補正機能の有効化若しくは無効化の選択、又は前記累積点灯時間の値、の少なくとも１つを含む、請求項１から８のいずれか一項に記載の照明用電源装置。
【請求項１０】
前記設定モードにおいて、前記照明制御部が、前記信号入力回路に入力されるＰＷＭ制御信号とは無関係に暫定的な照明制御を実行するように構成された、請求項１から９のいずれか一項に記載の照明用電源装置。
【請求項１１】
前記暫定的な照明制御が、前記設定モード移行直前の照明制御を再現するものである、請求項１０に記載の照明用電源装置。
【請求項１２】
前記設定モードにおいて、前記ＰＷＭ制御信号のデューティ比の変化が所定パターンに対応する場合又は前記ＰＷＭ制御信号のデューティ比が所定値に一致する場合に、前記モード決定部が前記設定モードを解除して前記通常モードを適用するように構成された、請求項１から１１のいずれか一項に記載の照明用電源装置。
【請求項１３】
請求項１から１２のいずれか一項に記載の照明用電源装置と、
制御指令を送信する上位装置と、
前記制御指令を受信し、該制御指令に基づいて前記ＰＷＭ制御信号を前記照明用電源装置に出力するＰＷＭ出力装置と
を備えた照明制御システム。
【発明の詳細な説明】
【技術分野】
【０００１】
本発明は、照明用電源装置及びそれを用いた照明制御システムに関する。
【背景技術】
【０００２】
特許文献１は、無線ネットワークを介して受信された調光指令に基づいてＰＷＭ指示信号を生成する制御部と、ＰＷＭ指示信号に応じてＬＥＤを調光するためのＰＷＭ信号を生成するＰＷＭ信号生成回路とを含む照明制御システムを開示する。特許文献２は、点灯初期に出力電流を低下させ、累積点灯時間の増加とともに出力電流を上昇させるいわゆる初期光束補正機能を有する光源点灯システムを開示する。そして、光源点灯システムに設けられた外部スイッチの操作に応じて累積点灯時間がリセット可能な構成が開示される。
【先行技術文献】
【特許文献】
【０００３】
【特許文献１】特開２０１７−６８９０２号公報
【特許文献２】特開２０１７−３７７８５号公報
【発明の概要】
【発明が解決しようとする課題】
【０００４】
上記のようなシステムにおいては、照明制御のための各種設定、例えば、最大出力電流値、初期光束補正機能の有効化／無効化、累積点灯時間のリセット／セットなどを行う必要が生じる場合がある。このような設定の変更を可能とするために、照明装置（照明用電源装置）にスイッチを付加し、あるいはマイコンのファームウェア変更用の別途のケーブル配線及びインターフェースなどの通信手段を付加すると、照明用電源装置又はシステム全体が高コスト化してしまうという問題がある。
【０００５】
そこで、本発明は、既存の制御信号配線を利用して照明制御用の各種設定を変更することができる照明用電源装置及びそれを用いた照明制御システムを提供することを課題とする。
【課題を解決するための手段】
【０００６】
本発明の第１の形態の照明用電源装置は、光源に電力を供給する点灯回路と、ＰＷＭ制御信号が入力される信号入力回路と、ＰＷＭ制御信号のデューティ比の変化が所定パターンに対応しない場合には通常モードを適用し、ＰＷＭ制御信号のデューティ比の変化が所定パターンに対応する場合には設定モードを適用するモード決定部と、通常モードにおいて、ＰＷＭ制御信号のデューティ比に基づいて照明制御を点灯回路に実行させる照明制御部と、設定モードにおいて、ＰＷＭ制御信号のデューティ比に基づいて照明制御のための設定を決定する設定処理部とを備える。
【０００７】
上記の照明用電源装置によると、モード決定部が、ＰＷＭ制御信号のデューティ比の変化が指定パターンに対応する場合には設定モードを適用し、設定処理部が、ＰＷＭ制御信号のデューティ比に基づいて照明制御のための設定を決定するように構成される。これにより、照明制御用の既存のＰＷＭ制御信号配線を利用して照明制御用の各種設定を変更することができる照明用電源装置が実現される。
【０００８】
ここで、指定パターンは、所定時間内における３値以上のデューティ比の遷移によって規定され得る。あるいは、指定パターンは、２値以上のデューティ比の周期的変化によって規定されてもよい。これにより、モード決定部において、確実に設定モード移行のための指定パターンが識別される。
【０００９】
一例として、上記遷移の一単位の期間が０．２秒以上であり、かつ３値以上のデューティ比の最大値と最小値に対応する調光率の差が２５％以上であることが好ましい。あるいは、上記周期的変化の周波数が５Ｈｚ以下であり、かつ２値以上のデューティ比の最大値と最小値に対応する調光率の差が２５％以上であることが好ましい。これにより、デューティ比の変化に伴う調光率（明るさ）の変化が人間の目に明示的に視認され、ユーザ（作業員などの設定作業者）はモードの移行を確実に認識することができ、作業性が高まる。
【００１０】
他の例として、上記遷移の一単位の期間が０．１秒以下であり、又は３値以上のデューティ比の最大値と最小値に対応する調光率の差が１０％以下であることが好ましい。あるいは、上記周期的変化の所定周波数が１０Ｈｚ以上であり、又は２値以上のデューティ比の最大値と最小値に対応する調光率の差が１０％以下であることが好ましい。これにより、デューティ比の変化に伴う調光率（明るさ）の変化が人間の目に明示的に視認されず、ユーザ（歩行者などの照明使用者）に視覚的違和感を与えずに設定モードへの移行を行うことが可能となる。
【００１１】
本発明の第２の形態の照明用電源装置は、光源に電力を供給する点灯回路と、ＰＷＭ制御信号が入力される信号入力回路と、ＰＷＭ制御信号のデューティ比が指定値に一致しない場合には通常モードを適用し、ＰＷＭ制御信号のデューティ比が指定値に一致する場合には設定モードを適用するモード決定部と、通常モードにおいて、ＰＷＭ制御信号のデューティ比に基づいて照明制御を点灯回路に実行させる照明制御部と、設定モードにおいて、ＰＷＭ制御信号のデューティ比に基づいて照明制御のための設定値を決定する設定処理部とを備え、指定値は、照明制御において使用されない調光率に対応するデューティ比である。
【００１２】
上記の照明用電源装置によると、モード決定部は、ＰＷＭ制御信号のデューティ比が、照明制御において使用されない所定デューティ比に一致する場合には設定モードを適用し、設定処理部が、ＰＷＭ制御信号のデューティ比に基づいて照明制御のための設定値を決定するように構成される。これにより、照明制御用の既存のＰＷＭ制御信号配線を利用して照明制御用の設定値を変更することができる照明用電源装置が実現される。また、不使用デューティ比の存在が前提となるものの、モード決定部によるモード決定処理が簡素化され得る。
【００１３】
上記第１又は第２の形態の照明用電源装置において、上記設定は、点灯回路から光源に供給される出力電流の最大値、光源の累積点灯時間に応じて出力電流を補正する初期光束補正機能の有効化若しくは無効化の選択、又は累積点灯時間のリセット若しくはセット、の少なくとも１つを含む。これにより、照明制御装置の設置後に変更され得る設定値又は機能が設定対象となり、照明制御の柔軟な変更が可能となる。
【００１４】
また、上記第１又は第２の形態の照明用電源装置において、照明制御部が、設定モードにおいて、信号入力回路に入力されるＰＷＭ制御信号とは無関係に暫定的な照明制御を実行するように構成されることが好ましい。これにより、設定モードの適用中にＰＷＭ制御信号のデューティ比又はその変化が照明状態に影響しない構成とすることができ、照明の利用が妨げられない。言い換えると、任意の時間帯に設定モードによる設定操作を実施することが可能となり、ユーザ（作業員などの設定作業者）における作業効率が向上する。
【００１５】
さらに、上記の暫定的な照明制御は、設定モード移行直前の照明制御を再現するものであることが好ましい。これにより、ユーザ（歩行者などの照明使用者）において、設定モード適用に起因する視覚的違和感が抑制される。
【００１６】
また、上記第１又は第２の形態の照明用電源装置において、設定モードにおいて、ＰＷＭ制御信号のデューティ比の変化が所定パターンに対応する場合又はＰＷＭ制御信号のデューティ比が所定値に一致する場合に、モード決定部が設定モードを解除して通常モードを適用するように構成される。これにより、通常モードと設定モードとの間の自在な移行が可能となる。
【００１７】
本発明の照明制御システムは、上記いずれかの照明用電源装置と、制御指令を送信する上位装置と、制御指令を受信し、その制御指令に基づいて上記ＰＷＭ制御信号を照明用電源装置に出力するＰＷＭ出力装置とを備える。これにより、上記の各効果を奏する照明制御システムが実現される。
【図面の簡単な説明】
【００１８】
【図１】本発明の第１及び第２の実施形態によるＬＥＤ用電源装置及びそれを含む照明制御システムのブロック図である。
【図２】本発明の第１の実施形態によるＬＥＤ用電源装置の動作を説明するフローチャートである。
【図３】本発明の第２の実施形態によるＬＥＤ用電源装置の動作を説明するフローチャートである。
【発明を実施するための形態】
【００１９】
＜第１の実施形態＞
図１に、第１の実施形態によるＬＥＤ用電源装置６及びそれを含む照明制御システム１のブロック図を示す。照明制御システム１は、無線親機２、照明設備３−１〜３−ｎ及び必要に応じて制御装置８を含む。以降の説明において、照明設備３−１〜３−ｎを総称して又はいずれか１つを代表して照明設備３というものとする。各照明設備３は、外灯、駐車場照明器具などである。照明設備３は無線子機４（ＰＷＭ出力装置）及び照明装置５を備え、照明装置５はＬＥＤ用電源装置６及びＬＥＤ７を含む。各照明設備３に含まれる無線子機４及び照明装置５は、それぞれ実質的に同じ構成を有するものとする。
【００２０】
無線親機２、無線子機４、ＬＥＤ用電源装置６及び制御装置８の各々は、商用電源などの適宜の電力系統から電源給電されるものとする。無線親機２と各照明設備３の無線子機４との間は無線接続される。無線親機２と無線子機４との無線接続は、例えば、特定小電力無線（例えば、９２０ＭＨｚ帯を利用した通信など）、Ｗｉ−ＳＵＮ、ＺｉｇＢｅｅ（登録商標）、ＢＬＥなどの通信規格に準拠していればよい。無線子機４とＬＥＤ用電源装置６とは、ＰＷＭ信号（及び必要に応じて接点信号）が伝送可能な態様で接続されていればよい。無線親機２と制御装置８とはＬＡＮケーブルなどで接続される。
【００２１】
無線親機２は、無線通信部２１、処理部２２、メモリ２３及び入力部２４を備える。無線通信部２１は、各無線子機４（無線通信部４１）と無線通信を行う無線モジュールである。処理部２２は、制御指令を生成して、その制御指令を無線通信部２１から無線子機４に送信する。また、処理部２２は、特に明記しない一般的なＣＰＵとしての機能を実行可能であるものとする。メモリ２３は、プログラム及びデータを記憶するＲＡＭ、ＲＯＭなどの記憶部であり、本実施形態を実行するためのプログラムがすでに書き込まれているものとする。処理部２２及びメモリ２３は１つのマイクロコンピュータに含まれ得る。入力部２４は、ユーザＩ／Ｆであってもよいし、制御装置８からの制御情報が入力される入力Ｉ／Ｆであってもよい。
【００２２】
制御装置８は、例えば岩崎電気株式会社製のＩＴＡＣＳなどであり、処理部８１、記憶部８２、ユーザＩ／Ｆ８３及び出力部８４を備える。処理部８１は、制御装置８の全体を統括制御するプロセッサなどで構成され、記憶部８２はプログラム及びデータを記憶する。ユーザＩ／Ｆ８３は、例えばタッチパネル上のグラフィカルユーザインターフェース（ＧＵＩ）などである。制御装置８は、記憶部８２に記憶された情報又はユーザＩ／Ｆ８３から入力された情報に基づいて制御情報を無線親機２に出力する。この場合、無線親機２は、この制御情報に基づいて制御指令を生成して無線子機４に送信する。
【００２３】
なお、無線親機２は自律的に（すなわち、制御装置８に制御されることなく）動作するものであってもよいし、制御装置８によって制御されるものであってもよい。本開示において、無線親機２で構成される装置又は無線親機２及び制御装置８で構成される装置を総称して上位装置というものとする。上位装置は、無線子機４に所望の制御指令を送信することができる構成であればよい。
【００２４】
無線子機４は、無線通信部４１、処理部４２、メモリ４３及び信号出力部４４を備える。無線通信部４１は、無線親機２（無線通信部２１）と無線通信を行う無線モジュールであり、無線親機２からの制御指令を受信する。信号出力部４４は、ＬＥＤ用電源装置６（信号入力回路６２）に信号を出力する出力インターフェース（出力チャネル）として機能する。処理部４２は、無線通信部４１によって受信された制御指令をＰＷＭ制御信号（及び必要に応じて接点信号）からなる制御信号に変換して、その制御信号を信号出力部４４からＬＥＤ用電源装置６に出力する。これにより、無線子機４は、制御指令に基づいてＰＷＭ制御信号を出力するＰＷＭ出力装置として機能する。また、処理部４２は、特に明記しない一般的なＣＰＵとしての機能を実行可能であるものとする。メモリ４３は、プログラム及びデータを記憶するＲＡＭ、ＲＯＭなどの記憶部であり、本実施形態を実行するためのプログラムがすでに書き込まれているものとする。処理部４２及びメモリ４３は１つのマイクロコンピュータに含まれ得る。
【００２５】
ＬＥＤ用電源装置６は点灯回路６１、信号入力回路６２及び制御回路６３を備え、点灯回路６１はＬＥＤ７に接続される。ＬＥＤ７は、多数のＬＥＤ素子が配列されたＬＥＤアレイを有するＬＥＤモジュールである。
【００２６】
点灯回路６１は、商用電源などの入力電圧を、制御回路６３の制御の下で直流電流（電流波形、電流値などが制御された電流）に変換し、その直流電流をＬＥＤ７に供給する。例えば、点灯回路６１は、入力電圧を全波整流する整流回路、及び整流回路の出力電圧から直流定電流を生成してそれをＬＥＤ７に出力するＤＣ／ＤＣコンバータを備え、ＤＣ／ＤＣコンバータは可変の出力電流を出力するように構成される。
【００２７】
信号入力回路６２は、無線子機４（信号出力部４４）から入力される制御信号（ＰＷＭ制御信号）をアナログ信号又はデジタル信号に変換して、変換された制御信号を制御回路６３に出力する。例えば、信号入力回路６２は、ＰＷＭ制御信号を積分回路によって積分することによってアナログＤＣ信号に変換することができる。また、信号入力回路６２は、接点信号として制御信号（オン／オフ制御信号）が入力される場合には、その制御信号を所定レベルの電圧信号に変換して、変換された制御信号を制御回路６３に出力することもできる。ＰＷＭ制御信号は、そのデューティ比によって、実行すべき調光率を規定する。例えば、ＰＷＭ制御信号のオンデューティの増加／減少に対して調光率が減少／増加するようにデューティ比が定義される。
【００２８】
制御回路６３は、モード決定部６４、照明制御部６５、初期光束補正部６６、設定処理部６７及びメモリ６８を含む。これらの各部は相互に信号又はデータのやり取りが可能な態様で接続される。モード決定部６４、照明制御部６５、初期光束補正部６６及び設定処理部６７はＣＰＵの一部を構成し、このＣＰＵはそこに含まれる各部の機能とともに、モード決定部６４、照明制御部６５、初期光束補正部６６及び設定処理部６７の統括制御など、特に明記しない一般的なＣＰＵとしての機能も実行可能であるものとする。メモリ６８は、プログラム及びデータ（後述の各パラメータ）を記憶するＲＡＭ、ＲＯＭなどの記憶部であり、本実施形態を実行するためのプログラムがすでに書き込まれているものとする。ＣＰＵ及びメモリ６８は１つのマイクロコンピュータに含まれ得る。
【００２９】
モード決定部６４は、ＰＷＭ制御信号のデューティ比の変化を監視及び識別する。なお、デューティ比の変化の識別は、ＰＷＭ制御信号から積分されたアナログＤＣ値又はデジタル値の遷移状態の解析に基づいて行われてもよいし、ＰＷＭ制御信号のＰＷＭ波形の直接の波形解析に基づいて行われてもよい。そして、識別されたデューティ比の変化が設定モード移行用のパターン（以下、「移行指定パターン」という）に対応しない場合、モード決定部６４は、照明制御のための通常モードを適用する。すなわち、通常モード時には、照明制御のためのデューティ比の変化又は設定モード移行のためのデューティ変化が実行され得る。そして、デューティ比の変化が移行指定パターンに対応しない限り、通常モードが維持及び継続される。一方、識別されたデューティ比の変化が移行指定パターンに対応する場合、モード決定部６４は、設定処理のための設定モードを適用する。
【００３０】
また、モード決定部６４は、設定モード移行後にも、ＰＷＭ制御信号のデューティ比の変化を監視及び識別する。そして、識別されたデューティ比の変化が設定モード解除用のパターン（以下、「解除指定パターン」という）に対応する場合に、設定モードを解除して通常モードへの移行を決定する。これにより、通常モードと設定モードとの間の自在な移行が可能となる。
【００３１】
本実施形態では、移行指定パターンは、以下に示すように、実際の照明制御においては一般に実行されないようなデューティ比（オンデューティ又はオフデューティ）の変化パターンによって規定される。なお、解除指定パターンは、移行指定パターンと同じパターンであってもよいし、異なるパターンであってもよい。なお、本開示では、デューティ比に関してオンデューティに着目して説明を行うが、当業者であれば、オフデューティについても同様の説明が当てはまることが分かるはずである。
【００３２】
（１）３値以上のデューティ比の遷移
移行指定パターンは、所定時間内（例えば、１〜５秒程度）における３値以上のデューティ比の変化（遷移）によって規定され得る。この構成により、モード決定部６４において、確実に移行指定パターンが識別される。例えば、移行指定パターンは、所定時間内のオンデューティの変化：５０％→１００％→０％などで定義される。この移行指定パターンに含まれるオンデューティの成分は３値に限らず４値以上であってもよいし、その遷移は段階的なものに限らず連続的なものであってもよい。また、このようなデューティ比の遷移の所定回数又は所定時間にわたる反復が要件とされてもよい。
【００３３】
（２）２値以上のデューティ比の周期的変化
移行指定パターンは、２値以上のデューティ比の周期的変化によって規定されてもよい。この構成によっても、モード決定部６４において、確実に移行指定パターンが識別される。例えば、移行指定パターンは、周期的なオンデューティの変化：２５％→７５％→２５％→７５％・・・のように定義され得る。この移行指定パターンに含まれるオンデューティの成分は、２値に限らず３値以上であってもよいし、上記（１）と同様に、０％又は１００％のオンデューティを含んでいてもよい。また、周期的変化は連続的変化であってもよい。
【００３４】
上記（１）３値以上のデューティ比の遷移又は（２）２値以上のデューティ比の周期的変化において、それに伴う明るさの変化が人間の目に明示的に視認されるような変化（以下、「視認変化」という）であってもよいし、明示的に視認されないような変化（以下、「非視認変化」という）であってもよい。なお、明示的に視認される、とは、明るさの変化がちらつきとして視認される以上に容易に認識される態様というものとする。上記の変化が視認変化である場合、ユーザ（作業員などの設定作業者）はモードの移行を確実に認識することができ、作業性が高まる。一方、上記の変化が非視認変化である場合、ユーザ（歩行者などの照明使用者）に視覚的違和感を与えずに設定モードへの移行を行うことができる。
【００３５】
ここで、上記（１）３値以上のデューティ比の遷移において、その遷移の一単位の期間を０．２秒以上、好ましくは１秒以上とし、かつオンデューティ成分の最大値と最小値に対応する調光率の差を２５％以上、好ましくは５０％以上とすることによって、視認変化が実現される。なお、遷移の一単位の期間の上限は、作業性（遷移完了までの待ち時間）などを考慮して５秒以下、好ましくは２秒以下であることが好ましい。
【００３６】
また、上記（２）２値以上のデューティ比の周期的変化において、その周期的変化の周波数を５Ｈｚ以下、好ましくは１Ｈｚ以下とし、かつオンデューティ成分の最大値と最小値に対応する調光率の差を２５％以上、好ましくは５０％以上とすることによって、視認変化が実現される。なお、周波数の下限は、作業性（１周期完了までの待ち時間）などを考慮して０．２Ｈｚ以上、好ましくは０．５Ｈｚ以上であることが好ましい。
【００３７】
ここで、上記（１）３値以上のデューティ比の遷移において、その遷移の一単位の期間を０．１秒以下、好ましくは０．０２秒以下とすることによって非視認変化が実現される。あるいは、オンデューティ成分の最大値と最小値に対応する調光率の差を１０％以下、好ましくは５％以下とすることによって非視認変化が実現される。なお、遷移の一単位の期間の下限は、ＰＷＭ制御信号の周期（例えば、１ｍｓ）に対して充分に長い時間であり、例えば５ｍｓなどであればよい。
【００３８】
また、上記（２）２値以上のデューティ比の周期的変化において、その周波数を１０Ｈｚ以上、好ましくは５０Ｈｚ以上とすることによって非視認変化が実現される。あるいは、オンデューティ成分の最大値と最小値に対応する調光率の差を１０％以下、好ましくは５％以下とすることによって非視認変化が実現される。なお、周波数の上限は、ＰＷＭ制御信号の周波数（例えば、１ｋＨｚ）に対して充分に低い周波数であり、例えば２００Ｈｚなどであればよい。
【００３９】
照明制御部６５は、通常モードにおいて、ＰＷＭ制御信号のオンデューティに基づいて、照明制御（通常照明制御）を点灯回路６１に実行させる。具体的には、照明制御部６５は、ＰＷＭ制御信号のオンデューティに基づく調光率に、後述の初期光束補正部６７から入力される補正係数を乗じて補正調光率を演算し、この補正調光率を予め設定された最大出力電流値に乗じて出力電流値を決定する。そして、照明制御部６５は、この出力電流値がＬＥＤ７に供給されるように点灯回路６１（ＤＣ／ＤＣコンバータ）の動作を制御する。なお、本開示において、調光制御とは、全光点灯及び消灯も含むものとし、全光点灯時の調光率が１００％であり、消灯時の調光率が０％であると定義される。
【００４０】
初期光束補正部６６は、ＬＥＤ７の累積点灯時間に応じて出力電流値を補正するいわゆる初期光束補正機能を実行する。具体的には、初期光束補正部６６は、制御回路６３のＣＰＵに含まれるタイマなどの計時手段（不図示）を参照して、ＬＥＤ７の累積点灯時間をメモリ６８に含まれる不揮発性メモリに記憶させる。初期光束補正部６６は、ＬＥＤ７の使用開始時（累積点灯時間＝０時間）には低い補正係数（例えば、０．８など）を適用し、累積点灯時間の増加に応じて上記補正係数を増加させる。そして、初期光束補正部６６は、累積点灯時間が所定時間（例えば、６００００時間など）に達した後に補正係数を１に維持する。これにより、例えば全光点灯を行う場合に、ＬＥＤ７の出力電流値は、累積点灯時間の増加とともに漸増していき、所定時間経過後は最大出力電流値で一定となる。
【００４１】
設定処理部６７は、設定モードにおいて、ＰＷＭ制御信号のオンデューティに基づいて照明制御のための新たな設定（設定値又は機能選択、すなわちパラメータ）を決定し、現在のパラメータを新たなパラメータに変更（更新又は上書き）する。また、設定処理部６７は、設定モード中に複数のオンデューティを識別した場合には、最後に識別されたオンデューティに基づいて最終的なパラメータを決定する。なお、使用開始当初（例えば出荷時）には適宜のパラメータが設定されているものとする。
【００４２】
このパラメータは、上記の最大出力電流値、初期光束補正機能の有効化／無効化の選択、上記の累積点灯時間の開始値（リセット／セット）などである。累積点灯時間のリセットはその開始値をゼロに戻すことであり、累積点灯時間のセットはその開始値を所定値に設定することである。これらの変更は、ＬＥＤ用電源装置６とＬＥＤ７の組合せが変更された場合などに必要となり得る。例えば、ＬＥＤ７を新品のものに交換した場合には、累積点灯時間のリセットが必要となり、ＬＥＤ７の定格電流値が変更されている場合には、最大出力電流値の変更が必要となる。また、使用中のＬＥＤ７に対してＬＥＤ用電源装置６を新品のものに交換した場合には、累積点灯時間のセットが必要となり得る。デューティ比と各パラメータの関係は、参照テーブルなどとしてメモリ６８に記憶されているものとする。
【００４３】
例えば、設定モードにおけるオンデューティと、最大出力電流値及び初期光束補正機能の有効化／無効化との関係を以下のように設定することができる。なお、下記は説明のための一例にすぎず、本発明はこれに限定されない。
オンデューティ＝１０％：最大出力電流値＝３００ｍＡ、初期光束補正＝無効
オンデューティ＝２０％：最大出力電流値＝３００ｍＡ、初期光束補正＝有効
・・・・
オンデューティ＝９０％：最大出力電流値＝８００ｍＡ、初期光束補正＝無効
オンデューティ＝１００％：最大出力電流値＝８００ｍＡ、初期光束補正＝有効
【００４４】
さらに、設定モードにおけるオンデューティと、累積点灯時間のリセット／セットの関係を以下のように設定することができる。なお、下記は説明のための一例にすぎず、本発明はこれに限定されない。
オンデューティ＝５％：累積点灯時間＝０時間（リセット）
オンデューティ＝１５％：累積点灯時間＝１００００時間（セット）
オンデューティ＝２５％：累積点灯時間＝２００００時間（セット）
・・・・
オンデューティ＝６５％：累積点灯時間＝６００００時間（セット）
【００４５】
ここで、設定モード適用中において、照明制御部６５は、信号入力回路６２に入力されるＰＷＭ制御信号とは無関係に、暫定的な照明制御（全光点灯、所定調光率での点灯、消灯など）を実行することができる。これにより、設定モードの適用中にＰＷＭ制御信号のオンデューティ又はその変化が照明状態に影響しない構成とすることができ、照明設備３の利用が妨げられない。言い換えると、任意の時間帯に設定モードによる設定操作を実施することが可能となり、ユーザ（作業員などの設定作業者）における作業効率が向上する。
【００４６】
さらに、上記の暫定的な照明制御は、設定モード移行直前の照明制御を再現するものであることが好ましい。具体的には、照明制御部６５は、照明制御の状態をメモリ６８に逐次記憶させておき、設定モードの適用中には、メモリ６８に記憶されている最新の照明制御を実行する。これにより、照明設備３の使用中において、ユーザ（歩行者などの照明使用者）において、設定モード適用に起因する視覚的違和感が抑制される。
【００４７】
なお、モード決定部６４において、あるオンデューティ状態がパラメータ決定を意図するものなのか又は解除指定パターンの一部に含まれているものなのかを識別する必要が生じる。そこで、パラメータ決定には、解除指定パターンの一部を構成するオンデューティ期間よりも長い時間にわたるオンデューティ状態の継続が要件とされることが好ましい。例えば、解除指定パターンがオンデューティ：５０％（ｘ秒以下）→０％→１００％である場合に、オンデューティ５０％の状態がｘ秒を超えて継続する場合に、オンデューティ５０％に対応するパラメータが決定される。あるいは、上記識別のために、パラメータ決定のために定義されたオンデューティが、解除指定パターンのオンデューティ成分を含まないようにしてもよい。
【００４８】
また、移行指定パターンのＰＷＭ制御信号、解除指定パターンのＰＷＭ制御信号及び各パラメータ指定のＰＷＭ制御信号を生成する基となる制御指令は、通常モードにおける照明制御用の制御指令と同様に、無線親機２を含む上位装置から各無線子機４に送信される。したがって、無線子機４−１〜４−ｎに対して一括して又は個別に設定モードが実行される。
【００４９】
＜設定モードの変形例＞
なお、本実施形態では、１つの設定モードが設けられる構成を示すが、設定対象のパラメータに応じて複数の設定モードが設けられてもよい。この場合、設定モード数に応じて移行指定パターンが定義される（解除指定パターンは１つであってもよい）。例えば、最大出力電流値を設定するための最大電流設定モードと、初期光束補正機能を有効化／無効化するための機能設定モードと、累積点灯時間をリセット／セットするための累積時間設定モードとを独立した設定モードとしてもよい。この場合、モード決定部６４は、それぞれの移行指定パターンを識別して対応する設定モードへの移行を実行する。また、ある設定モードから他の設定モードへの移行を可能としてもよい。
【００５０】
設定処理部６７は、それぞれの設定モードにおいて、ＰＷＭ制御信号のデューティ比（オンデューティ）に基づいて照明制御のための新たなパラメータを数値指定によって決定し、現在のパラメータを新たなパラメータに変更（更新又は上書き）する。これにより、特にパラメータの数値をリニアに指定することができ、パラメータのきめ細かい設定が可能となる。
【００５１】
例えば、最大電流設定モードにおけるオンデューティと最大出力電流値との関係を以下のようにすることができる。
最大出力電流値（ｍＡ）＝オンデューティ（％）×１０
例えば、オンデューティが４８％の場合、最大出力電流値は４８０ｍＡとなる。
【００５２】
例えば、機能設定モードにおけるオンデューティと初期光束補正機能の有効化／無効化との関係を以下のようにすることができる。
０≦オンデューティ（％）＜５０：初期光束補正機能＝無効
５０≦オンデューティ（％）≦１００：初期光束補正機能＝有効
【００５３】
例えば、累積時間設定モードにおけるオンデューティと累積点灯時間との関係を以下のようにすることができる。
累積点灯時間（時間）＝オンデューティ（％）×１０００
例えば、オンデューティが０％の場合には累積点灯時間は０時間にリセットされ、オンデューティが３６％の場合には累積点灯時間は３６０００時間にセットされる。
【００５４】
図２に、ＬＥＤ用電源装置６の動作のフローチャートを示す。フローチャートの開始時点で、通常モードが適用されているものとする。
【００５５】
ステップＳ１００において、信号入力回路６２が、ＰＷＭ制御信号を受信する。
ステップＳ１０５において、モード決定部６４が、ＰＷＭ制御信号のオンデューティの変化を監視及び識別する。ステップＳ１０５は、所定ループ数にわたって実行される。
ステップＳ１０６において、モード決定部６４は、ＰＷＭ制御信号のオンデューティの変化が移行指定パターンに対応するか否かを判定する。オンデューティの変化が移行指定パターンに対応しない場合（ステップＳ１０６、Ｎｏ）、ステップＳ１１０において、通常モードが継続実行される。すなわち、照明制御部６５がＰＷＭ制御信号のオンデューティに基づいて（すなわち、当該オンデューティに従う調光率又は補正調光率に従って）通常照明制御を実行し、処理はステップＳ１００に戻る。
【００５６】
一方、ステップＳ１０６において、オンデューティの変化が移行指定パターンに対応する場合（ステップＳ１０６、Ｙｅｓ）、処理は、ステップＳ１１５以降の設定モードに移行する。
【００５７】
ステップＳ１１５において、照明制御部６５が、暫定的な照明制御を実行する。この暫定的な照明制御は、例えば、直前に通過したステップＳ１１０の照明制御を再現するものであればよい。
【００５８】
ステップＳ１２０において、信号入力回路６２が、ＰＷＭ制御信号を受信する。
ステップＳ１２５において、モード決定部６４が、ＰＷＭ制御信号のオンデューティの変化を監視及び識別する。ステップＳ１２５は、所定ループ数にわたって実行される。
ステップＳ１２６において、モード決定部６４は、ＰＷＭ制御信号のオンデューティの変化が解除指定パターンに対応するか否かを判定する。オンデューティの変化が解除指定パターンに対応しない場合（ステップＳ１２６、Ｎｏ）、処理はステップＳ１３０に進む。
【００５９】
ステップＳ１３０において、設定処理部６７が、ＰＷＭ制御信号のオンデューティに基づいて新たなパラメータを決定し、現在のパラメータを新たなパラメータに変更する。そして、処理は、ステップＳ１２０に戻る。
【００６０】
一方、ステップＳ１２６において、オンデューティの変化が解除指定パターンに対応する場合（ステップＳ１２６、Ｙｅｓ）、処理は、設定モードを終了して通常モードに移行し、ステップＳ１００に戻る。
【００６１】
以上のように、本実施形態のＬＥＤ用電源装置６は、ＬＥＤ７に電力を供給する点灯回路６１と、ＰＷＭ制御信号が入力される信号入力回路６２と、ＰＷＭ制御信号のデューティ比の変化が移行指定パターンに対応しない場合には通常モードを適用し、ＰＷＭ制御信号のデューティ比の変化が移行指定パターンに対応する場合には設定モードを適用するモード決定部６４と、通常モードにおいて、ＰＷＭ制御信号のデューティ比に基づいて照明制御を点灯回路６１に実行させる照明制御部６５と、設定モードにおいて、ＰＷＭ制御信号のデューティ比に基づいて照明制御のための設定を決定する設定処理部６７とを備える。
【００６２】
このように、モード決定部６４が、ＰＷＭ制御信号のデューティ比の変化が設定モード移行用のパターンに対応する場合には設定モードを適用し、設定処理部６７が、ＰＷＭ制御信号のデューティ比に基づいて照明制御のための設定を決定するように構成される。これにより、照明制御用の既存のＰＷＭ制御信号配線を利用して照明制御用の各種設定を変更することができるＬＥＤ用電源装置６が実現される。
【００６３】
＜第２の実施形態＞
上記第１の実施形態では、ＰＷＭ制御信号のオンデューティの変化に基づいて設定モードへの移行が決定される構成を示したが、本実施形態ではＰＷＭ制御信号のオンデューティの値に基づいて設定モードへの移行が決定される構成を示す。
【００６４】
本実施形態のＬＥＤ用電源装置６のブロック図は、図１に示す第１の実施形態のブロック図と同じである。ただし、本実施形態と第１の実施形態とは、モード決定部６４の動作が異なる。本実施形態の構成要素及び動作について、第１の実施形態と同様のものについては説明を省略又は簡略化する。
【００６５】
本実施形態では、照明制御部６５において、所定のデューティ比（オンデューティ又はオフデューティ）が照明制御に使用されないこと、すなわち不使用デューティ比が存在することを前提とする。例えば、連続的に調光率を変化させる照明制御においても、調光率１〜５％など、暗さに対する省エネ効果の薄い低調光率域は使用されなくてもよい場合がある。このような設定において、調光率１〜５％に対応するデューティ比を不使用デューティ比として定義することができる。あるいは、照明制御が段調光制御である場合に、使用される調光率の間の調光率に対応するデューティ比を不使用デューティ比として定義することができる。
【００６６】
モード決定部６４は、信号入力回路６２に入力されるＰＷＭ制御信号のオンデューティが設定モード移行用の指定値（以下、「移行指定値」という）に一致する場合に設定モードを適用する。この移行指定値は、上記の不使用デューティ比のいずれかである。また、モード決定部６４は、設定モードにおいて、ＰＷＭ制御信号のオンデューティが設定モード解除用の指定値（以下、「解除指定値」という）に一致する場合に設定モードを解除し、通常モードに移行する。これにより、通常モードと設定モードとの間の自在な移行が可能となる。なお、解除指定値は、移行指定値と同じであってもよいし、異なっていてもよい（この場合、解除指定値が不使用オンデューティである必要はない）。また、解除指定値は、パラメータ決定のために定義されたいずれのオンデューティとも異なることが好ましい。
【００６７】
図３に、ＬＥＤ用電源装置６の動作のフローチャートを示す。フローチャートの開始時点で、通常モードが適用されているものとする。
【００６８】
ステップＳ１００において、信号入力回路６２が、ＰＷＭ制御信号を受信する。
ステップＳ１０８において、モード決定部６４が、ＰＷＭ制御信号のオンデューティが移行指定値に一致するか否かを判定する。オンデューティが移行指定値に一致しない場合（ステップＳ１０８、Ｎｏ）、ステップＳ１１０において、通常モードが継続実行される。すなわち、第１の実施形態と同様に、照明制御部６５がＰＷＭ制御信号のオンデューティに基づいて通常照明制御を実行し、処理はステップＳ１００に戻る。
【００６９】
一方、オンデューティが移行指定値に一致する場合（ステップＳ１０８、Ｙｅｓ）、処理は、ステップＳ１１５以降の設定モードに移行する。ステップＳ１１５では、第１の実施形態と同様に、照明制御部６５が、暫定的な照明制御を実行する。
【００７０】
ステップＳ１２０において、信号入力回路６２が、ＰＷＭ制御信号を受信する。
ステップＳ１２８において、モード決定部６４は、ＰＷＭ制御信号のオンデューティが解除指定値に一致するか否かを判定する。オンデューティが解除指定値に一致しない場合（ステップＳ１２８、Ｎｏ）、処理はステップＳ１３０に進む。
【００７１】
ステップＳ１３０の処理は、第１の実施形態と同様である。すなわち、設定処理部６７が、ＰＷＭ制御信号のオンデューティに基づいて新たなパラメータを決定し、現在のパラメータを新たなパラメータに変更する。そして、処理は、ステップＳ１２０に戻る。
【００７２】
一方、ステップＳ１２８において、オンデューティが解除指定値に一致する場合（ステップＳ１２８、Ｙｅｓ）、処理は、設定モードを終了して通常モードに移行し、ステップＳ１００に戻る。
【００７３】
以上のように、本実施形態のＬＥＤ用電源装置６は、ＬＥＤ７に電力を供給する点灯回路６１と、ＰＷＭ制御信号が入力される信号入力回路６２と、ＰＷＭ制御信号のデューティ比が移行指定値に一致しない場合には通常モードを適用し、ＰＷＭ制御信号のデューティ比が移行指定値に一致する場合には設定モードを適用するモード決定部６４と、通常モードにおいて、ＰＷＭ制御信号のデューティ比に基づいて照明制御を点灯回路６１に実行させる照明制御部６５と、設定モードにおいて、ＰＷＭ制御信号のデューティ比に基づいて照明制御のための設定を決定する設定処理部６７とを備え、移行指定値は、照明制御において使用されない調光率に対応するデューティ比である。
【００７４】
このように、モード決定部６４が、ＰＷＭ制御信号のデューティ比が、照明制御において使用されないデューティ比である移行指定値に対応する場合には設定モードを適用し、設定処理部６７が、ＰＷＭ制御信号のデューティ比に基づいて照明制御のための設定を決定するように構成される。これにより、第１の実施形態と同様に、照明制御用の既存のＰＷＭ制御信号配線を利用して照明制御用の各種設定を変更することができるＬＥＤ用電源装置６が実現される。また、不使用デューティ比の存在が前提となるものの、モード決定部６４によるモード決定処理が簡素化され得る。
【００７５】
＜変形例＞
以上に本発明の好適な実施形態を示したが、本発明は、例えば以下に示すように種々の態様に変形可能である。
【００７６】
（１）実施形態の組合せ
上記第１及び第２の実施形態を個別のものとして示したが、それぞれの構成を組み合わせて用いることもできる。例えば、モード決定部６４は、ＰＷＭ制御信号のデューティ比の変化が移行指定パターンに対応する場合に設定モードを適用し（第１の実施形態参照）、ＰＷＭ制御信号のデューティ比が解除指定値に一致する場合に設定モードを解除する（第２の実施形態参照）ようにしてもよい。また逆に、モード決定部６４は、ＰＷＭ制御信号のデューティ比が移行指定値に一致する場合に設定モードを適用し（第２の実施形態参照）、ＰＷＭ制御信号のデューティ比の変化が解除指定パターンに対応する場合に設定モードを解除する（第１の実施形態参照）ようにしてもよい。
【００７７】
（２）光源に関する変形
上記第１及び第２の実施形態では、照明装置５が、光源としてＬＥＤ７を含み、照明用電源装置としてＬＥＤ用電源装置６（特にＬＥＤ用の点灯回路６１）を含む構成を示した。一方、照明装置５において、光源は放電灯などの他の種類の光源であってもよく、その場合には、放電灯用電源装置など、その光源に適した照明用電源装置（特にその光源に適した点灯回路）が採用されるものとする。
【００７８】
（３）システム構成に関する変形
上記第１及び第２の実施形態では、照明制御システム１が無線親機２及び無線子機４を備える構成を示した。一方、照明制御システム１において、親機（無線親機２の代替）と子機（無線子機４の代替）が有線接続される構成にも本発明は適用可能である。また、親機と子機の間の照明制御のための通信は、ＤＭＸ５１２、ＲＤＭ（Ｒｅｍｏｔｅ  Ｄｅｖｉｃｅ  Ｍａｎａｇｅｍｅｎｔ）、ＤＡＬＩ（Ｄｉｔｉｇａｌ  Ａｄｄｒｅｓｓａｂｌｅ  Ｉｎｔｅｒｆａｃｅ）など、他の通信方式に従うものであってもよい。
【符号の説明】
【００７９】
１  照明制御システム
２  無線親機（上位装置）
３、３−１〜３−ｎ  照明設備
４  無線子機（ＰＷＭ出力装置）
５  照明装置
６  ＬＥＤ用電源装置（照明用電源装置）
７  ＬＥＤ（光源）
８  制御装置（上位装置）
６１  点灯回路
６２  信号入力回路
６３  制御回路
６４  モード決定部
６５  照明制御部
６６  初期光束補正部
６７  設定処理部
６８  メモリ
【図１】
2019102281.tif 000003
【図２】
2019102281.tif 000004
【図３】
2019102281.tif 000005